(57)【要約】【課題】  解析困難な付加情報を情報記録媒体に記録し、また再生する装置、媒体、および方法を提供する。【解決手段】  情報記録媒体に対する付加データの記録、例えばコンテンツの復号処理に適用する鍵情報、鍵生成情報、あるいはコンテンツ再生制御情報、コピー制御情報などの付加データを記録する際、付加データの構成ビット情報［０］または［１］と、特定の選択された付加データ対応レコーディングフレームのパリティが偶数か奇数かに応じて、データ変更可能なデータ部、例えばユーザ制御データ（ＵＣＤ）の構成ビットを制御してユーザ制御データのパリティを偶数または奇数に設定する構成とした。また、再生時においては、付加データ対応レコーディングフレームのパリティと、ユーザ制御データ（ＵＣＤ）の構成データのパリティを検出することで、付加構成ビット情報［０］または［１］を取得する。【選択図】  図１
2005085425.tif 000002
【特許請求の範囲】
【請求項１】
情報記録処理装置において、
記録対象データに対してデータ変調処理を実行し変調レコーディングフレームを生成する変調データ生成部と、
付加データ対応レコーディングフレームの構成データのデータ特性を判別するレコーディングフレーム特性判別手段と、
付加データの構成ビット値と、前記付加データ対応レコーディングフレームの構成データのデータ特性とに基づいて、データ変更可能なデータ部の構成ビットを制御する付加データ対応データ制御部と、
を有することを特徴とする情報記録処理装置。
【請求項２】
前記付加データ対応データ制御部において、構成ビットの制御対象となるデータ部は、ユーザ制御データ（ＵＣＤ）であることを特徴とする請求項１に記載の情報記録処理装置。
【請求項３】
前記付加データ対応レコーディングフレームの構成データのデータ特性は、レコーディングフレームの構成データのパリティが偶数であるか奇数であるかの特性であり、
前記付加データ対応データ制御部は、
前記付加データの構成ビット値が０であるか１であるか、および、
前記付加データ対応レコーディングフレームの構成データのパリティが偶数であるか奇数であるか、
上記２つの条件に基づいて、データ変更可能なデータ部の構成ビットを制御する構成であることを特徴とする請求項１に記載の情報記録処理装置。
【請求項４】
前記付加データ対応データ制御部は、
データ変更可能なデータ部のパリティを偶数とするか、奇数とするかの制御を実行する構成であることを特徴とする請求項１に記載の情報記録処理装置。
【請求項５】
前記情報記録処理装置は、
前記付加データを、
前記情報記録媒体に格納するコンテンツの暗号鍵情報、暗号鍵生成情報、コンテンツ再生制御情報、コンテンツコピー制御情報の少なくともいずれかの情報の構成情報として設定する構成であることを特徴とする請求項１に記載の情報記録処理装置。
【請求項６】
前記変調データ生成部は、
ランレングス規則としてのＲＬＬ（１，７）を満足するデータ変換処理を実行して変調レコーディングフレームを生成する構成であることを特徴とする請求項１に記載の情報記録処理装置。
【請求項７】
前記変調データ生成部は、
２ビット情報の３ビット情報への変換処理を含む変調レコーディングフレーム生成処理を実行する構成であることを特徴とする請求項１に記載の情報記録処理装置。
【請求項８】
情報記録媒体に格納された情報の再生処理を実行する情報再生処理装置であり、
情報記録媒体から読み取られたデータの復調処理を実行する復調部と、
情報記録媒体から読み取られた付加データ対応レコーディングフレーム、および、特定のユーザ制御データのデータ特性を判別し、該判別した２つのデータ特性に基づいて、付加データ構成ビット情報の取得処理を実行する付加データデコード部と、
を有することを特徴とする情報再生処理装置。
【請求項９】
前記付加データデコード部において、データ特性の判別対象となるデータ部は、ユーザ制御データ（ＵＣＤ）であることを特徴とする請求項８に記載の情報再生処理装置。
【請求項１０】
前記付加データ対応レコーディングフレームの構成データのデータ特性は、レコーディングフレームの構成データのパリティが偶数であるか奇数であるかの特性であり、
前記付加データデコード部は、
前記付加データ対応レコーディングフレームの構成データのパリティが偶数であるか奇数であるか、
特定のユーザ制御データの構成データのパリティが偶数であるか奇数であるか、
上記２つのデータ特性判定に基づいて、付加データ構成ビット情報の取得処理を実行する構成であることを特徴とする請求項８に記載の情報再生処理装置。
【請求項１１】
前記情報再生処理装置は、
取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行する構成であることを特徴とする請求項８に記載の情報再生処理装置。
【請求項１２】
情報記録媒体であり、
複数のレコーディングフレームに基づく変調データを格納し、
付加データの構成ビット値と、複数のレコーディングフレームから選択された特定の付加データ対応レコーディングフレームの構成データのデータ特性とに基づいて決定されたデータ特性を持つユーザ制御データを格納した構成を有することを特徴とする情報記録媒体。
【請求項１３】
前記付加データ対応レコーディングフレームの構成データのデータ特性は、レコーディングフレームの構成データのパリティが偶数であるか奇数であるかの特性であり、
前記ユーザ制御データは、
前記付加データの構成ビット値が０であるか１であるか、および、
前記付加データ対応レコーディングフレームの構成データのパリティが偶数であるか奇数であるか、
上記２条件に従って決定されるデータ特性を持つ構成を有することを特徴とする請求項１２に記載の情報記録媒体。
【請求項１４】
前記ユーザ制御データに対して決定されるデータ特性は、前記ユーザ制御データの構成データのパリティを偶数とするか奇数とするかのデータ特性であり、
前記付加データの構成ビット値と、前記複数のレコーディングフレームから選択された特定の付加データ対応レコーディングフレームの構成データのデータ特性とに基づいて決定されたパリティを持つユーザ制御データを格納した構成を有することを特徴とする請求項１２に記載の情報記録媒体。
【請求項１５】
前記情報記録媒体は、
前記付加データを、前記情報記録媒体の格納コンテンツの暗号鍵情報、暗号鍵生成情報、コンテンツ再生制御情報、コンテンツコピー制御情報の少なくともいずれかの情報の構成情報として格納した構成であることを特徴とする請求項１２に記載の情報記録媒体。
【請求項１６】
前記情報記録媒体は、
ランレングス規則としてのＲＬＬ（１，７）を満足するデータ変換処理を実行して生成される変調レコーディングフレームに基づくデータを記録した構成であることを特徴とする請求項１２に記載の情報記録媒体。
【請求項１７】
前記情報記録媒体は、
２ビット情報を３ビット情報に変換する処理を実行して生成される変調レコーディングフレームに基づくデータを記録した構成であることを特徴とする請求項１２に記載の情報記録媒体。
【請求項１８】
情報記録処理方法であり、
付加データの構成ビット値と、付加データ対応レコーディングフレームの構成データのデータ特性とに基づいて、データ変更可能なデータ部の構成ビットを制御する付加データ対応データ制御ステップと、
記録対象データに対してデータ変調処理を実行し変調レコーディングフレームを生成する変調データ生成ステップと、
を有することを特徴とする情報記録処理方法。
【請求項１９】
前記付加データ対応データ制御ステップにおいて、構成ビットの制御対象となるデータ部は、ユーザ制御データ（ＵＣＤ）であることを特徴とする請求項１８に記載の情報記録処理方法。
【請求項２０】
前記付加データ対応レコーディングフレームの構成データのデータ特性は、レコーディングフレームの構成データのパリティが偶数であるか奇数であるかの特性であり、
前記付加データ対応データ制御ステップは、
前記付加データの構成ビット値が０であるか１であるか、および、
前記付加データ対応レコーディングフレームの構成データのパリティが偶数であるか奇数であるか、
上記２つの条件に基づいて、データ変更可能なデータ部の構成ビットを制御することを特徴とする請求項１８に記載の情報記録処理方法。
【請求項２１】
前記付加データ対応データ制御ステップは、
データ変更可能なデータ部のパリティを偶数とするか、奇数とするかの制御を実行することを特徴とする請求項１８に記載の情報記録処理方法。
【請求項２２】
前記情報記録処理方法において、
前記付加データは、前記情報記録媒体に格納するコンテンツの暗号鍵情報、暗号鍵生成情報、コンテンツ再生制御情報、コンテンツコピー制御情報の少なくともいずれかの情報の構成情報であることを特徴とする請求項１８に記載の情報記録処理方法。
【請求項２３】
前記変調データ生成ステップは、
ランレングス規則としてのＲＬＬ（１，７）を満足するデータ変換処理を実行して変調レコーディングフレームを生成することを特徴とする請求項１８に記載の情報記録処理方法。
【請求項２４】
前記変調データ生成ステップは、
２ビット情報の３ビット情報への変換処理を含む変調レコーディングフレーム生成処理を実行することを特徴とする請求項１８に記載の情報記録処理方法。
【請求項２５】
情報記録媒体に格納された情報の再生処理を実行する情報再生処理方法であり、
情報記録媒体から読み取られたデータの復調処理を実行する復調ステップと、
情報記録媒体から読み取られた付加データ対応レコーディングフレーム、および、特定のユーザ制御データのデータ特性を判別し、該判別した２つのデータ特性に基づいて、付加データ構成ビット情報の取得処理を実行する付加データデコードステップと、
を有することを特徴とする情報再生処理方法。
【請求項２６】
前記付加データデコードステップにおいて、データ特性の判別対象となるデータ部は、ユーザ制御データ（ＵＣＤ）であることを特徴とする請求項２５に記載の情報再生処理方法。
【請求項２７】
前記付加データ対応レコーディングフレームの構成データのデータ特性は、レコーディングフレームの構成データのパリティが偶数であるか奇数であるかの特性であり、
前記付加データデコードステップは、
前記付加データ対応レコーディングフレームの構成データのパリティが偶数であるか奇数であるか、
特定のユーザ制御データの構成データのパリティが偶数であるか奇数であるか、
上記２つのデータ特性判定に基づいて、付加データ構成ビット情報の取得処理を実行することを特徴とする請求項２５に記載の情報再生処理方法。
【請求項２８】
前記情報再生処理方法は、さらに、
取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行するステップを有することを特徴とする請求項２５に記載の情報再生処理方法。
【請求項２９】
情報記録処理を実行するコンピュータ・プログラムであり、
付加データの構成ビット値と、付加データ対応レコーディングフレームの構成データのデータ特性とに基づいて、データ変更可能なデータ部の構成ビットを制御する付加データ対応データ制御ステップと、
記録対象データに対してデータ変調処理を実行し変調レコーディングフレームを生成する変調データ生成ステップと、
を有することを特徴とするコンピュータ・プログラム。
【請求項３０】
情報記録媒体に格納された情報の再生処理を実行するコンピュータ・プログラムであり、
情報記録媒体から読み取られたデータの復調処理を実行する復調ステップと、
情報記録媒体から読み取られた付加データ対応レコーディングフレーム、および、特定のユーザ制御データのデータ特性を判別し、該判別した２つのデータ特性に基づいて、付加データ構成ビット情報の取得処理を実行する付加データデコードステップと、
を有することを特徴とするコンピュータ・プログラム。
【発明の詳細な説明】
【技術分野】
【０００１】
本発明は、情報記録処理装置、情報再生処理装置、情報記録媒体、および方法、並びにコンピュータ・プログラムに関する。さらに詳細には、例えば、画像データ、音楽データ等のコンテンツを記録する情報記録媒体に、付加情報、例えばコンテンツの復号処理に適用する鍵情報、コンテンツ再生制御情報、コピー制御情報など、様々な付加情報を、ユーザ制御情報等、コンテンツ等の実データに対して影響を与えることのない制御可能なデータの特性と、特定の記録データ（レコーディングフレーム）の特性との組み合わせにより解析困難な形態で記録し、読み取ることを可能とした情報記録処理装置、情報再生処理装置、情報記録媒体、および方法、並びにコンピュータ・プログラムに関する。
【背景技術】
【０００２】
音楽データ、画像データなどのデータを記録媒体にデジタルデータとして記録する際には、所定の記録フォーマットに従った記録処理が行われる。例えば、記録対象のオリジナルデータに対して誤り検出／訂正符号が付加され、特定のデータ記録再生処理に応じたフォーマットに変換（コーディング）されて記録されることになる。
【０００３】
高密度情報の記録を可能とする情報記録媒体として青色レーザを用いた情報記録、再生を行なうシステムが近年開発された。この青色レーザを用いた情報記録処理では、基本的に２ビットデータを３ビットデータに変調する変調処理が行われる。
【０００４】
ところで、このような情報記録媒体に対して格納するコンテンツとして、例えば、映画、音楽データなどがある。音楽データ、画像データ等、多くのコンテンツは、一般的にその作成者あるいは販売者に頒布権等が保有されている。従って、これらのコンテンツの配布に際しては、一定の利用制限、すなわち、正規なユーザに対してのみ、コンテンツの利用を許諾し、許可のない複製等が行われないようにする構成をとるのが一般的となっている。
【０００５】
高容量記録可能な青色レーザ記録方式を用いた記録媒体等の大容量型記録媒体は、１枚の媒体に例えば映画１本〜数本分のデータを記録することが可能である。このようにコンテンツを容易にデジタル情報として記録することが可能となるに従って、不正コピーの氾濫という問題も多く発生することになり、コンテンツ著作権者、頒布権者の利益の阻害という問題が大きくなっている。このような現状から、いかに不正コピーを防止し、著作権者、頒布権者の利益の保護を図るかが重要な課題となっている。
【０００６】
このようなコンテンツの不正利用を防止するため、情報記録媒体に格納するコンテンツを暗号化コンテンツとして記録するとともに、その暗号化コンテンツの利用に適用する暗号鍵情報、あるいは暗号鍵の生成に必要となる情報や、あるいは、コンテンツの再生制御、コピー制御などの各種制御情報を秘密情報として情報記録媒体に格納する構成が提案されている。ユーザの再生装置において実行する再生処理プログラムが、再生対象コンテンツに対応する鍵等の秘密情報を読み取り、読み取った秘密情報に従ってコンテンツを復号し、また再生制御情報に従ったコンテンツ利用を実行させるという構成である。
【０００７】
秘密情報の埋め込み処理構成を開示した従来技術として、例えば特許文献１には、ＥＦＭ変調データの接続ビット（マージンビット）を適用して特殊データを埋め込む構成が開示されている。また、特許文献２には、変調処理に複数の変換テーブルを適用する構成において、再生時に、変調に適用した変換テーブルに関するデータを抽出して、この抽出データに基づいて付加データを取得する構成を開示している。
【０００８】
しかしながら、このような暗号鍵、あるいは制御情報が、情報記録媒体のどこに格納されているかといった情報がユーザ、あるいは不正なコンテンツ利用者に取得されてしまうと、付加情報の漏洩や改竄を可能にしてしまうという問題がある。例えば再生制御情報、コピー制御情報の改竄、あるいは鍵情報の漏洩という問題が発生する。暗号鍵の漏洩や、制御情報の改竄が行われると、正当なコンテンツ利用権に基づくコンテンツの利用形態がくずれることになり、コンテンツの著作権、利用権の十分な保護が行われなくなるという問題がある。
【特許文献１】特開２００３−４５１２８号公報
【特許文献２】特開２００２−３６７２８２号公報
【発明の開示】
【発明が解決しようとする課題】
【０００９】
本発明は、上述の問題点に鑑みてなされたものであり、例えばコンテンツとともに記録媒体に格納する暗号鍵、暗号鍵生成情報、コンテンツ再生制御情報、コンテンツコピー制御情報、あるいはその他のコンテンツ属性情報など、様々な付加情報を、一般のデータ読み取り処理では読み取ることのできない態様で記録することを可能とし、不正なデータ読み取りを困難とした情報記録処理装置、情報再生処理装置、情報記録媒体、および方法、並びにコンピュータ・プログラムを提供することを目的とする。
【００１０】
より、具体的には、ユーザ制御情報等、コンテンツ等の実データに対して影響を与えることのない制御可能なデータの特性と、特定の記録データ（レコーディングフレーム）の特性との組み合わせにより解析困難な形態で記録し、読み取ることを可能とした情報記録処理装置、情報再生処理装置、情報記録媒体、および方法、並びにコンピュータ・プログラムを提供することを目的とする。
【課題を解決するための手段】
【００１１】
本発明の第１の側面は、
情報記録処理装置において、
記録対象データに対してデータ変調処理を実行し変調レコーディングフレームを生成する変調データ生成部と、
付加データ対応レコーディングフレームの構成データのデータ特性を判別するレコーディングフレーム特性判別手段と、
付加データの構成ビット値と、前記付加データ対応レコーディングフレームの構成データのデータ特性とに基づいて、データ変更可能なデータ部の構成ビットを制御する付加データ対応データ制御部と、
を有することを特徴とする情報記録処理装置にある。
【００１２】
さらに、本発明の情報記録処理装置の一実施態様において、前記付加データ対応データ制御部において、構成ビットの制御対象となるデータ部は、ユーザ制御データ（ＵＣＤ）であることを特徴とする。
【００１３】
さらに、本発明の情報記録処理装置の一実施態様において、前記付加データ対応レコーディングフレームの構成データのデータ特性は、レコーディングフレームの構成データのパリティが偶数であるか奇数であるかの特性であり、前記付加データ対応データ制御部は、前記付加データの構成ビット値が０であるか１であるか、および、前記付加データ対応レコーディングフレームの構成データのパリティが偶数であるか奇数であるか、上記２つの条件に基づいて、データ変更可能なデータ部の構成ビットを制御する構成であることを特徴とする。
【００１４】
さらに、本発明の情報記録処理装置の一実施態様において、前記付加データ対応データ制御部は、データ変更可能なデータ部のパリティを偶数とするか、奇数とするかの制御を実行する構成であることを特徴とする。
【００１５】
さらに、本発明の情報記録処理装置の一実施態様において、前記情報記録処理装置は、前記付加データを、前記情報記録媒体に格納するコンテンツの暗号鍵情報、暗号鍵生成情報、コンテンツ再生制御情報、コンテンツコピー制御情報の少なくともいずれかの情報の構成情報として設定する構成であることを特徴とする。
【００１６】
さらに、本発明の情報記録処理装置の一実施態様において、前記変調データ生成部は、ランレングス規則としてのＲＬＬ（１，７）を満足するデータ変換処理を実行して変調レコーディングフレームを生成する構成であることを特徴とする。
【００１７】
さらに、本発明の情報記録処理装置の一実施態様において、前記変調データ生成部は、２ビット情報の３ビット情報への変換処理を含む変調レコーディングフレーム生成処理を実行する構成であることを特徴とする。
【００１８】
さらに、本発明の第２の側面は、
情報記録媒体に格納された情報の再生処理を実行する情報再生処理装置であり、
情報記録媒体から読み取られたデータの復調処理を実行する復調部と、
情報記録媒体から読み取られた付加データ対応レコーディングフレーム、および、特定のユーザ制御データのデータ特性を判別し、該判別した２つのデータ特性に基づいて、付加データ構成ビット情報の取得処理を実行する付加データデコード部と、
を有することを特徴とする情報再生処理装置にある。
【００１９】
さらに、本発明の情報再生処理装置の一実施態様において、前記付加データデコード部において、データ特性の判別対象となるデータ部は、ユーザ制御データ（ＵＣＤ）であることを特徴とする。
【００２０】
さらに、本発明の情報再生処理装置の一実施態様において、前記付加データ対応レコーディングフレームの構成データのデータ特性は、レコーディングフレームの構成データのパリティが偶数であるか奇数であるかの特性であり、前記付加データデコード部は、前記付加データ対応レコーディングフレームの構成データのパリティが偶数であるか奇数であるか、特定のユーザ制御データの構成データのパリティが偶数であるか奇数であるか、上記２つのデータ特性判定に基づいて、付加データ構成ビット情報の取得処理を実行する構成であることを特徴とする。
【００２１】
さらに、本発明の情報再生処理装置の一実施態様において、前記情報再生処理装置は、取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行する構成であることを特徴とする。
【００２２】
さらに、本発明の第３の側面は、
情報記録媒体であり、
複数のレコーディングフレームに基づく変調データを格納し、
付加データの構成ビット値と、複数のレコーディングフレームから選択された特定の付加データ対応レコーディングフレームの構成データのデータ特性とに基づいて決定されたデータ特性を持つユーザ制御データを格納した構成を有することを特徴とする情報記録媒体にある。
【００２３】
さらに、本発明の情報記録媒体の一実施態様において、前記付加データ対応レコーディングフレームの構成データのデータ特性は、レコーディングフレームの構成データのパリティが偶数であるか奇数であるかの特性であり、前記ユーザ制御データは、前記付加データの構成ビット値が０であるか１であるか、および、前記付加データ対応レコーディングフレームの構成データのパリティが偶数であるか奇数であるか、上記２条件に従って決定されるデータ特性を持つ構成を有することを特徴とする。
【００２４】
さらに、本発明の情報記録媒体の一実施態様において、前記ユーザ制御データに対して決定されるデータ特性は、前記ユーザ制御データの構成データのパリティを偶数とするか奇数とするかのデータ特性であり、前記付加データの構成ビット値と、前記複数のレコーディングフレームから選択された特定の付加データ対応レコーディングフレームの構成データのデータ特性とに基づいて決定されたパリティを持つユーザ制御データを格納した構成を有することを特徴とする。
【００２５】
さらに、本発明の情報記録媒体の一実施態様において、前記情報記録媒体は、前記付加データを、前記情報記録媒体の格納コンテンツの暗号鍵情報、暗号鍵生成情報、コンテンツ再生制御情報、コンテンツコピー制御情報の少なくともいずれかの情報の構成情報として格納した構成であることを特徴とする。
【００２６】
さらに、本発明の情報記録媒体の一実施態様において、前記情報記録媒体は、ランレングス規則としてのＲＬＬ（１，７）を満足するデータ変換処理を実行して生成される変調レコーディングフレームに基づくデータを記録した構成であることを特徴とする。
【００２７】
さらに、本発明の情報記録媒体の一実施態様において、前記情報記録媒体は、２ビット情報を３ビット情報に変換する処理を実行して生成される変調レコーディングフレームに基づくデータを記録した構成であることを特徴とする。
【００２８】
さらに、本発明の第４の側面は、
情報記録処理方法であり、
付加データの構成ビット値と、付加データ対応レコーディングフレームの構成データのデータ特性とに基づいて、データ変更可能なデータ部の構成ビットを制御する付加データ対応データ制御ステップと、
記録対象データに対してデータ変調処理を実行し変調レコーディングフレームを生成する変調データ生成ステップと、
を有することを特徴とする情報記録処理方法にある。
【００２９】
さらに、本発明の情報記録処理方法の一実施態様において、前記付加データ対応データ制御ステップにおいて、構成ビットの制御対象となるデータ部は、ユーザ制御データ（ＵＣＤ）であることを特徴とする。
【００３０】
さらに、本発明の情報記録処理方法の一実施態様において、前記付加データ対応レコーディングフレームの構成データのデータ特性は、レコーディングフレームの構成データのパリティが偶数であるか奇数であるかの特性であり、前記付加データ対応データ制御ステップは、前記付加データの構成ビット値が０であるか１であるか、および、前記付加データ対応レコーディングフレームの構成データのパリティが偶数であるか奇数であるか、上記２つの条件に基づいて、データ変更可能なデータ部の構成ビットを制御することを特徴とする。
【００３１】
さらに、本発明の情報記録処理方法の一実施態様において、前記付加データ対応データ制御ステップは、データ変更可能なデータ部のパリティを偶数とするか、奇数とするかの制御を実行することを特徴とする。
【００３２】
さらに、本発明の情報記録処理方法の一実施態様において、前記情報記録処理方法において、前記付加データは、前記情報記録媒体に格納するコンテンツの暗号鍵情報、暗号鍵生成情報、コンテンツ再生制御情報、コンテンツコピー制御情報の少なくともいずれかの情報の構成情報であることを特徴とする。
【００３３】
さらに、本発明の情報記録処理方法の一実施態様において、前記変調データ生成ステップは、ランレングス規則としてのＲＬＬ（１，７）を満足するデータ変換処理を実行して変調レコーディングフレームを生成することを特徴とする。
【００３４】
さらに、本発明の情報記録処理方法の一実施態様において、前記変調データ生成ステップは、２ビット情報の３ビット情報への変換処理を含む変調レコーディングフレーム生成処理を実行することを特徴とする。
【００３５】
さらに、本発明の第５の側面は、
情報記録媒体に格納された情報の再生処理を実行する情報再生処理方法であり、
情報記録媒体から読み取られたデータの復調処理を実行する復調ステップと、
情報記録媒体から読み取られた付加データ対応レコーディングフレーム、および、特定のユーザ制御データのデータ特性を判別し、該判別した２つのデータ特性に基づいて、付加データ構成ビット情報の取得処理を実行する付加データデコードステップと、
を有することを特徴とする情報再生処理方法にある。
【００３６】
さらに、本発明の情報再生処理方法の一実施態様において、前記付加データデコードステップにおいて、データ特性の判別対象となるデータ部は、ユーザ制御データ（ＵＣＤ）であることを特徴とする。
【００３７】
さらに、本発明の情報再生処理方法の一実施態様において、前記付加データ対応レコーディングフレームの構成データのデータ特性は、レコーディングフレームの構成データのパリティが偶数であるか奇数であるかの特性であり、前記付加データデコードステップは、前記付加データ対応レコーディングフレームの構成データのパリティが偶数であるか奇数であるか、特定のユーザ制御データの構成データのパリティが偶数であるか奇数であるか、上記２つのデータ特性判定に基づいて、付加データ構成ビット情報の取得処理を実行することを特徴とする。
【００３８】
さらに、本発明の情報再生処理方法の一実施態様において、前記情報再生処理方法は、さらに、取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行するステップを有することを特徴とする。
【００３９】
さらに、本発明の第６の側面は、
情報記録処理を実行するコンピュータ・プログラムであり、
付加データの構成ビット値と、付加データ対応レコーディングフレームの構成データのデータ特性とに基づいて、データ変更可能なデータ部の構成ビットを制御する付加データ対応データ制御ステップと、
記録対象データに対してデータ変調処理を実行し変調レコーディングフレームを生成する変調データ生成ステップと、
を有することを特徴とするコンピュータ・プログラムにある。
【００４０】
さらに、本発明の第７の側面は、
情報記録媒体に格納された情報の再生処理を実行するコンピュータ・プログラムであり、
情報記録媒体から読み取られたデータの復調処理を実行する復調ステップと、
情報記録媒体から読み取られた付加データ対応レコーディングフレーム、および、特定のユーザ制御データのデータ特性を判別し、該判別した２つのデータ特性に基づいて、付加データ構成ビット情報の取得処理を実行する付加データデコードステップと、
を有することを特徴とするコンピュータ・プログラムにある。
【００４１】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００４２】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００４３】
本発明の構成によれば、情報記録媒体に対する付加データの記録、例えばコンテンツの復号処理に適用する鍵情報、鍵生成情報、あるいはコンテンツ再生制御情報、コピー制御情報などの付加情報を記録する際、付加データの構成ビット情報［０］または［１］と、特定の選択された付加データ対応レコーディングフレームのデータ特性とに応じて、データ変更可能なデータ部、例えばユーザ制御データ（ＵＣＤ）の構成ビットを制御して設定する構成とし、再生時に付加データ対応レコーディングフレームのデータ特性と、ユーザ制御データ（ＵＣＤ）の構成データのデータ特性を検出することで、付加構成ビット情報［０］または［１］を取得することができる。本構成により、例えば、コンテンツの復号処理に適用する鍵情報、鍵生成情報、あるいはコンテンツ再生制御情報、コピー制御情報などの付加情報を解析困難な態様で埋め込み、また再生時に確実に読み取る構成が実現される。
【００４４】
また、本発明の構成によれば、付加データの記録処理において、付加データの構成ビット情報［０］または［１］と、特定の選択された付加データ対応レコーディングフレームのパリティが偶数か奇数かに応じて、データ変更可能なデータ部、例えばユーザ制御データ（ＵＣＤ）の構成ビットを制御してユーザ制御データのパリティを偶数または奇数に設定する構成とし、再生時に付加データ対応レコーディングフレームのパリティと、ユーザ制御データ（ＵＣＤ）の構成データのパリティを検出することで、付加構成ビット情報［０］または［１］を取得することができる。本構成により、例えば、コンテンツの復号処理に適用する鍵情報、鍵生成情報、あるいはコンテンツ再生制御情報、コピー制御情報などの付加情報を解析困難な態様で埋め込み、また再生時に確実に読み取る構成が実現される。
【発明を実施するための最良の形態】
【００４５】
以下、図面を参照しながら本発明の情報記録処理装置、情報再生処理装置、情報記録媒体、および方法、並びにコンピュータ・プログラムの詳細について説明する。
【００４６】
まず、図１を参照して本発明の情報記録処理装置の構成の構成および処理について説明する。なお、ここで説明する情報記録処理装置は、いわゆるマスターディスクといわれる原盤の製造装置としてのマスタリング装置を含み、さらに、一般ユーザの利用可能なＤＶＤ記録再生装置やＰＣ等の情報記録媒体ドライブを備えた装置も含むものである。すなわち、マスターディスクのみならず、書き込み可能（Recordable）、再書き込み可能（Rewritable）な様々な情報記録媒体に対してデータ書き込み可能な情報処理装置も含むものである。
【００４７】
図１を参照して、情報記録処理装置の構成、および処理について説明する。情報記録処理装置は、データ記録可能な情報記録媒体１０１、データ記録信号を情報記録媒体１０１に対して出力するピックアップ１０２、情報記録媒体１０１を駆動するスピンドルモーター１０３、ピックアップ１０２およびスピンドルモーター１０３の制御を行うサーボ回路１０４、付加データエラー訂正符号化部１０５、メインデータエラー訂正符号化部１０６、付加データ対応ユーザ制御データ（ＵＣＤ：Ｕｓｅｒ Ｃｏｎｔｒｏｌ Ｄａｔａ）制御部１０７、スイッチ１０８、変調データ生成部１０９、レコーディングフレーム特性判別手段１１０、記録信号処理回路１１１から構成される。
【００４８】
情報記録媒体１０１に記録するコンテンツデータは、例えば暗号化コンテンツデータであり、メインデータとしてメインデータエラー訂正符号化部１０６に入力され、メインデータエラー訂正符号化部１０６は、入力データに対してエラー訂正符号を生成し付加する符号化処理を行う。
【００４９】
その後、変調データ生成部１０９において、変調処理が実行される。本発明に係る情報記録処理装置は、２ビットデータを３ビットデータへの変調を基本とするＲＬＬ（１，７）変調方式に基づく変調を実行する。
【００５０】
ＲＬＬ（１，７）変調方式に基づく変調とは、変調後のビットにおいて、連続する［０］の数が、最小１つ、最大７個の範囲となるＲＬＬ（１，７）のランレングス制限に従った変調データとするデータ変換方式である。なお、この変換処理においては、変換テーブルが使用される。具体的な変換テーブルの使用例については後述する。
【００５１】
変調データに基づいて、同期信号が設定されたレコーディングフレーム（Ｒｅｃｏｒｄｉｎｇ  Ｆｒａｍｅ）と呼ばれる記録単位が生成されて記録信号処理回路１１１を介して情報記録媒体１０１に記録される。
【００５２】
変調処理においては、入力されたメインデータのある一定間隔毎に変調時のＤＳＶ（Ｄｉｇｉｔａｌ  Ｓｕｍ  Ｖａｒｉａｔｉｏｎ：デジタルサムバリエーション）の絶対値が、小さくなるようにＤＣ制御ビット（ＤＣ−Ｃｏｎｔｒｏｌ  ｂｉｔ）の「０」または、「１」を選択して、挿入された後、変調処理が行われる。
【００５３】
デジタルサムバリエーション（ＤＳＶ）は、情報記録媒体に対する記録信号として生成されるＮＲＺＩ変換信号のＤＣバランスの指標である。具体的には、記録ビット系列（ＮＲＺＩ変換信号）のビット［０］を「−１」、ビット［１］を「＋１」として累積した値をＤＳＶとし、ＤＳＶが０からの乖離をより小さくすることのできるように、ＤＣ制御ビット（ＤＣ−Ｃｏｎｔｒｏｌ  ｂｉｔ）の「０」または、「１」を選択して、挿入された後、変調処理が行われる。なお、ＮＲＺＩ変換処理については詳細を後述する。
【００５４】
図２および図３を参照して変調データ生成部１０９において実行する変調データ生成処理の詳細について説明する。
【００５５】
記録データは、図２（ａ）に示すようにユーザデータ２０１、ユーザ制御データ（ＵＣＤ：Ｕｓｅｒ  Ｃｏｎｔｒｏｌ ｄａｔａ）２１１によって構成される。ユーザデータ２０１はコンテンツ等の再生対象データの実体データを含むデータであり、ユーザ制御データ（ＵＣＤ）２１１は再生制御情報などの様々な制御データを含むデータである。
【００５６】
ユーザデータ２０１は、２０４８バイトデータと４バイトパリティの３２フレームを単位として設定される。ユーザ制御データ（ＵＣＤ）２１１は、１８バイトデータの３２ユニットによって構成される。
【００５７】
３２フレーム×（２０４８＋４）バイトのユーザデータ２０１に基づいて、データブロック２０２が形成される。データブロック２０２は、３０４列（ｃｏｌｕｍ）×２１６行（ｒｏｗ）の配列を有する。なお、１列（ｃｏｌｕｍ）×１行（ｒｏｗ）は１バイト（８ｂｉｔ）データが格納される。
【００５８】
データブロック２０２に対して、各列に３２行（ｒｏｗ）のパリティが付加されたデータブロックとしてＬＤＣブロック２０３が生成され、ＬＤＣブロック２０３に対するインターリーブ処理により、１５２列×４９６行のＬＤＣクラスタ２０４が生成される。
【００５９】
一方、ユーザ制御データ（ＵＣＤ）２１１は、１６×９バイトの物理アドレスデータ２２１と結合されて、２４列×３０行のアクセスブロック２１２が生成された後、アクセスブロック２１２に対して、各列に３２行（ｒｏｗ）のパリティが付加されたデータブロックとしてＢＩＳブロック２１３が生成され、ＢＩＳブロック２１３に対するインターリーブ処理により、３列×４９６行のＢＩＳクラスタ２１４が生成される。
【００６０】
図３（ｄ）は図２（ｄ）と同様のデータ、すなわち、ユーザデータ２０１に基づいて生成される１５２列×４９６行のＬＤＣクラスタ２０４、およびユーザ制御データ（ＵＣＤ）２１１に基づいて生成される３列×４９６行のＢＩＳクラスタ２１４を示している。
【００６１】
１５２列×４９６行のＬＤＣクラスタ２０４は、図３（ｄ）に示すように、３２列（ｃｏｌｕｍ）単位の４つのパート（Ｉ〜ＩＶ）に分割され、また、３列×４９６行のＢＩＳクラスタ２１４は、１列（ｃｏｌｕｍ）単位の３つのパート（ｉ〜ｉｉｉ）に分割され、これらの各パートを交互に結合して、図３（ｅ）に示す１５５列×４９６行のＥＣＣクラスタ２３１が生成される。
【００６２】
さらに、ＥＣＣクラスタ２３１は、図３（ｆ）に示すように０〜２７の２８パートに区分されたクラスタ２３２として設定される。パート０のみが２５ｂｉｔ、その他のパート１〜２７は、４５ｂｉｔである。なお、図３（ｆ）に示すビット数は、１行（ｒｏｗ）あたりのビット数である。
【００６３】
さらに、図３（ｇ）に示すように、２０ビットの同期（Ｓｙｎｃ）ビットが設定され、さらに図３（ｆ）のパート０〜２７の各間に１ビットのＤＣ制御ビット（ＤＣ−ｃｏｎｔｒｏｌ  ｂｉｔ）が設定される。
【００６４】
この結果、［１２４０＋２０（Ｓｙｎｃ）＋（１ＤＣ制御×２８）＝１２８８］×４９６行（ｒｏｗ）の物理クラスタ２３３が設定される。物理クラスタ２３３の各行が変調データ生成処理単位としてのレコーディングフレーム２３４とされる。
【００６５】
なお、ＤＣ制御ビットは、情報記録媒体に対する記録信号として生成されるＮＲＺＩ変換信号のＤＣバランスの指標である。具体的には、記録ビット系列（ＮＲＺＩ変換信号）のビット［０］を「−１」、ビット［１］を「＋１」として累積した値をＤＳＶとし、ＤＳＶが０からの乖離をより小さくすることのできるように、ＤＣ制御ビット（ＤＣ−Ｃｏｎｔｒｏｌ  ｂｉｔ）の「０」または、「１」を選択して、挿入される。
【００６６】
次に、１２８８ｂｉｔデータからなるレコーディングフレーム２３４に対して、２ビットデータを３ビットデータへ変換する変調処理が行われる。このデータ変換においては、連続する［０］の数が、最小１つ、最大７個の範囲となるランレングス制限に従った変調データとするＲＬＬ（１，７）のデータ変換が実行され、変調レコーディングフレーム２３５が生成される。
【００６７】
変調レコーディングフレーム２３５は、変調データビットとしての３０チャンネルビットの同期（Ｓｙｎｃ）チャンネルビットと、（１２８８−２０ｓｙｎｃ  ｂｉｔ）×２／３＝１９０２チャンネルビットの計１９３２チャンネルビット構成となる。
【００６８】
ＲＬＬ（１，７）のランレングス規則に従った２ビットから３ビットへのデータ変調処理には、変換テーブルが利用される。具体的な変換テーブルの例を図４に示す。
【００６９】
図４に示すように、変換テーブルは、各入力ビットに対応した変調データビットが対応付けられたテーブルとして構成される。例えば入力データが［００００００００］である場合、変調データビットは、［０１０１００１００１００］とされる。入力データが［１１］である場合、先行変調データビットが［ｘｘ１］であれば［０００］、先行変調データビットが［ｘｘ０］であれば［１０１］とされる。
【００７０】
２ビットから３ビットへのデータ変換をこのテーブルに従って実行することにより、ＲＬＬ（１，７）ランレングス規則に従った変調データビットが生成される。
【００７１】
図１に戻り、本発明の情報記録処理装置の構成および処理についての説明を続ける。図１における変調データ生成部１０９において、図２〜図４を参照して説明した変調データ生成処理が実行され、生成された変調データに基づく記録信号が記録信号処理回路１１１において生成される。
【００７２】
記録信号処理回路１１１においては、変調データ生成手段１０９の生成した変調データの［０］または［１］の値に応じてパルスの正負を反転させるＮＲＺＩ(Non Return to Zero Inverted)信号を生成しこれを記録信号として情報記録媒体１０１に記録する。
【００７３】
図５に記録信号処理回路１１１において実行する記録信号としてのＮＲＺＩ生成処理構成を示す。変調データ生成部１０９から出力される変調データビットとしてチャンネルビットは、ＮＲＺ変換手段１２１、排他論理和手段（ＸＯＲ）１２２、遅延手段１２３からなる記録信号処理回路１１１に入力される。図５（ａ）が、チャンネルビット、（ｂ）がＮＲＺ変換手段１２１からの出力信号、（ｃ）が記録信号処理回路１１１の最終的な出力としての記録信号であるＮＲＺＩ変換パルスを示している。この記録信号がピックアップ１０２に出力されてサーボ回路１０４の制御の下に記録情報が情報記録媒体１０１に記録される。
【００７４】
本発明の構成においては、付加データの記録をユーザ制御情報（ＵＣＤ）等、コンテンツ等の実データに対して影響を与えることのない制御可能なデータの特性と、特定の記録データ（レコーディングフレーム）の特性との組み合わせにより解析困難な形態で記録し、読み取ることを可能とした構成を持つ。
【００７５】
例えば、
（１）ある特定のレコーディングフレームを付加データ対応のレコーディングフレームとして選択し、その選択されたレコーディングフレームの特性、具体的には例えばパリティが偶数であるかまたは奇数であるかの特性と、
（２）データビットの調整の可能なユーザ制御データ（ＵＣＤ）を付加データ対応ＵＣＤとして選択し、その選択されたＵＣＤの特性、具体的には例えばパリティが偶数であるかまたは奇数であるかの特性と、
上記（１）のレコーディングフレーム特性、および（２）ユーザ制御データ（ＵＣＤ）特性の組み合わせを制御することによって付加データの構成ビット［０］または［１］を示す構成としている。
【００７６】
以下、この付加ビット設定処理構成の詳細について説明する。図６は、図２、図３において説明した変調データ生成処理においてユーザ制御データ２１１に基づいて生成されるＢＩＳブロック２１３とＢＩＳクラスタ２１４の詳細を示した図である。
【００７７】
図２、図３を参照して説明したように、ユーザ制御データ（ＵＣＤ）２１１は、１６×９バイトの物理アドレスデータ２２１と結合されて、２４列×３０行のアクセスブロック２１２が生成された後、アクセスブロック２１２に対して、各列に３２行（ｒｏｗ）のパリティが付加されたデータブロックとしてＢＩＳブロック２１３が生成される。図６に示す（Ａ）のＢＩＳブロック２１３である。
【００７８】
ＢＩＳブロック２１３に対するインターリーブ処理により、３列×４９６行のＢＩＳクラスタ２１４が生成される。図６（Ｂ）に示すＢＩＳクラスタである。
【００７９】
ＢＩＳクラスタには、図６（Ｂ）に示すように、３行（ｒｏｗ）の物理アドレスと、１２行（ｒｏｗ）のユーザ制御データ（ＵＣＤ）と、１６行のパリティとによって、３列（ｃｏｌｕｍ）×３１行（ｒｏｗ）の１つのユニットが設定されている。ユニット０〜１５の１６ユニットによって、３列×４９６行のＢＩＳクラスタ２１４が構成される。
【００８０】
図７に示すように、この構成を持つＢＩＳクラスタは、先に図２、図３を参照して説明したように、コンテンツ等のユーザデータに基づいて設定されるＬＤＣクラスタ２０４の４分割データＩ〜ＩＶの間に一列ずつ挿入され、ＥＣＣクラスタ２３１が生成される。
【００８１】
図７に示すように、ＥＣＣクラスタは、１５２列（ｃｏｌｕｍ）×４９６行（ｒｏｗ）のＬＤＣクラスタに３列（ｃｏｌｕｍ）×４９６行（ｒｏｗ）のＢＩＳクラスタを合成したクラスタとして設定される。
【００８２】
ＢＩＳクラスタは、図６を参照して説明したように、物理アドレス、ユーザ制御データ（ＵＣＤ）、パリティのいずれかが各行に設定されている。従って、ＥＣＣクラスタ２３１の４９６行の各行に含まれるＢＩＳクラスタ（ｉ，ｉｉ，ｉｉｉ）は、物理アドレス、ユーザ制御データ（ＵＣＤ）、パリティのいずれかということになる。
【００８３】
図８に示すように、ＥＣＣクラスタ２３１を構成する４９６行中の特定の行（ｒｏｗ）は、データフレーム３０１に示すように、コンテンツ等のユーザデータＩ〜ＩＶにユーザ制御データ（ＵＣＤ）が挿入された設定となっている。
【００８４】
ユーザ制御データ（ＵＣＤ）は、コンテンツの再生制御情報などの各種の情報を格納すべき領域として設定されているが、その一部はリザーブ領域などに設定されており、任意のデータの書き込みが可能な領域である。
【００８５】
本発明においては、この任意データ書き込み可能なユーザ制御データ（ＵＣＤ）に対する格納値を、
付加データビットの値［０］または［１］と、
他の特定のレコーディングフレーム（図８に示す付加データ対応フレーム３１１に基づいて生成される付加データ対応レコーディングフレームの変調データの特性（例えばパリティ））
に応じた制御を行い、ＵＣＤ格納値のデータ特性を制御して設定する。
【００８６】
ユーザ制御データ（ＵＣＤ）の特性制御は、具体的には、ＵＣＤのパリティを偶数とするか奇数とするかの制御である。例えば、図８に示すユーザ制御データ（ＵＣＤ）３０２を付加データ対応ユーザ制御データ（ＵＣＤ）として定め、この付加データ対応ユーザ制御データ（ＵＣＤ）３０２の構成ビット（８ビット）のビット値を制御してパリティを調整する。すなわち、付加データ対応ユーザ制御データ（ＵＣＤ）３０２のパリティを偶数または奇数に制御する。
【００８７】
なお、あるデータ領域におけるパリティが偶数であるとは、そのデータ領域に含まれるデータに含まれるビット１の数の累積値が偶数であることに相当する。あるデータ領域におけるパリティが奇数であるとは、そのデータ領域に含まれるデータに含まれる１の数の累積値が奇数であることに相当する。
【００８８】
付加データ対応ユーザ制御データ（ＵＣＤ）３０２のパリティを偶数に設定する場合は、付加データ対応ユーザ制御データ（ＵＣＤ）３０２の８ビットに含まれる［１］の数を偶数に設定し、パリティを奇数に設定する場合は、８ビットに含まれる［１］の数を奇数に設定する。
【００８９】
このような制御のなされた付加データ対応ユーザ制御データ（ＵＣＤ）３０２を持つデータフレーム３０１は、図８に示すように、ＤＣ制御ビットが挿入されてレコーディングフレームとされた後、ＲＬＬ（１，７）ランレングス規則に従って２ビットから３ビットに変換する変調処理がなされ、さらに同期（Ｓｙｎｃ）コードが付加されて変調レコーディングフレーム（図３（ｈ）参照）とされた後、記録信号処理回路１１１（図１参照）において変調レコーディングフレームに基づいて生成されるＮＲＺＩ信号が情報記録媒体１０１に記録される。
【００９０】
図８に示すように、付加データ対応ユーザ制御データ（ＵＣＤ）３０２を持つデータフレーム３０１の他に付加データ対応フレーム３１１が設定され、この付加データ対応フレーム３１１に基づいて生成される付加データ対応レコーディングフレームもまた、図８に示すように、ＤＣ制御ビットが挿入されてレコーディングフレームとされた後、ＲＬＬ（１，７）ランレングス規則に従って２ビットから３ビットに変換する変調処理がなされ、さらに同期（Ｓｙｎｃ）コードが付加されて変調レコーディングフレーム（図３（ｈ）参照）とされた後、記録信号処理回路１１１（図１参照）において変調レコーディングフレームに基づいて生成されるＮＲＺＩ信号が情報記録媒体１０１に記録される。
【００９１】
なお、付加データ対応レコーディングフレームは、図６（Ｂ）のＢＩＳクラスタ中のユーザ制御情報（ＵＣＤ）を含むデータフレームであっても、その他の物理アドレスを含むデータフレームであっても、パリティを含むデータフレームであってもよく、任意のデータフレームを付加データ対応レコーディングフレームとして設定可能である。
【００９２】
本発明の構成では、この２つのデータフレーム、すなわち、
付加データ対応ＵＣＤ格納フレームと、
付加データ対応レコーディングフレームと、
の２つのフレームに基づいて、付加データの構成ビットの設定を行い、また読み取りを行なう。
【００９３】
図１の構成に戻り、本発明の情報記録処理装置の処理について説明する。付加データは、付加データエラー訂正符号化部１０５に入力され、エラー訂正符号を付加する符号化処理が行なわれる。なお、付加データとは、暗号鍵情報、暗号鍵生成情報、コンテンツ再生制御情報、コンテンツコピー制御情報、その他のコンテンツ属性情報など、様々な情報によって構成されるデータである。
【００９４】
付加データ対応ＵＣＤ（ユーザ制御データ）制御部１０７には、エラー訂正符号の付加された付加データのビット列が入力される。例えば［０，０，０，１，０，０，０・・・］等のデータ列である。このビット列は、例えば暗号鍵情報、暗号鍵生成情報、コンテンツ再生制御情報、コンテンツコピー制御情報、その他のコンテンツ属性情報のいずれかの付加データと、その付加データに対するエラー訂正符号を含むビット列である。
【００９５】
付加データ対応ＵＣＤ（ユーザ制御データ）制御部１０７は、付加データのビット列を入力するとともに、レコーディングフレーム特性判別手段１１０から特定のレコーディングフレーム、すなわち、付加データ対応レコーディングフレームの変調データに関するデータ特性（例えばパリティ）を入力する。
【００９６】
付加データ対応ＵＣＤ制御部１０７は、
付加データビットの値［０］または［１］と、
付加データ対応レコーディングフレームのデータ特性（例えばパリティ）
に応じた制御を行う。すなわち、ＵＣＤ格納値のデータ特性を制御して設定し、設定したＵＣＤデータをメインデータエラー訂正符号化部に入力し、エラー訂正の後、変調データ生成部１０９において、図２、図３に従った変調処理がなされ、生成された変調レコーディングフレーム（図３（ｈ）参照）が、記録信号処理回路１１１に入力され、変調レコーディングフレームに基づいて生成されるＮＲＺＩ信号が情報記録媒体１０１に記録される。
【００９７】
付加データ対応レコーディングフレーム制御部１０７は、変調データ生成部１０９からの入力情報に基づいて、付加データ対応レコーディングフレームが変調データ生成１０９から出力されるタイミングにスイッチ１０８をＯＮとして、付加データ対応レコーディングフレームをレコーディングフレーム特性判別手段１１０に出力させる。なお、付加データ対応レコーディングフレームは、記録信号処理回路１１１にも出力され、通常の書き込み処理が実行される。
【００９８】
レコーディングフレーム特性判別手段１１０は、付加データ対応レコーディングフレームのデータ特性、具体的には付加データ対応レコーディングフレームの変調データの構成データのパリティが偶数であるか奇数であるかの判定を行い、その判定結果を付加データ対応制御部１０７に出力する。
【００９９】
付加データ対応制御部１０７は、付加データエラー訂正符号化部１０５から入力する付加データビットの値［０］または［１］と、レコーディングフレーム特性判別手段１１０から入力する付加データ対応レコーディングフレームのデータ特性（例えばパリティ）とに基づいて、付加データ対応ＵＣＤ格納値のデータ特性（例えばパリティ）を制御してＵＣＤの構成ビットを設定し、設定したＵＣＤデータをメインデータエラー訂正符号化部に入力する。
【０１００】
図９、図１０、図１１、図１２を参照して、本発明における付加データ格納処理の詳細について説明する。
【０１０１】
図９は、
付加データの構成ビットが［０］、
特定レコーディングフレーム（付加データ対応レコーディングフレーム）に対応する変調データ領域のパリティが偶数、
の場合の付加データ対応ＵＣＤの設定処理を示す図である。
【０１０２】
なお、（１，７）ＲＬＬ変調の特性として、パリティプリザーブ（Ｐａｒｉｔｙ  Ｐｒｅｓｅｒｖｅ）、すなわち、偶数パリティデータの変調データは偶数パリティになり、奇数パリティデータの変調データは奇数パリティなるという特徴がある。従って、図９（ａ）に示す変調データのパリティと、レコーディングフレームのパリティはいずれも同じであり、どちらを適用してもよい。
【０１０３】
なお、以下では、付加データ対応レコーディングフレームや、付加データ対応ＵＣＤのデータ特性として、パリティを用いた例を示すが、データ特性としては、パリティに限らず、その他、検出可能な様々なデータ特性の適用が可能である。
【０１０４】
図９の場合、すなわち、付加データの構成ビットが［０］であり、図９（ａ）に示すように、特定レコーディングフレーム（付加データ対応レコーディングフレーム）のパリティが偶数パリティである場合、図９（ｂ）に示すように、付加データ対応ＵＣＤを奇数パリティとなるビット構成とする。具体的には、付加データ対応ユーザ制御データ（ＵＣＤ）の８ビットに含まれる［１］の数を奇数に設定してパリティを奇数にする。
【０１０５】
この結果、
特定レコーディングフレーム（付加データ対応レコーディングフレーム）のパリティが偶数、
付加データ対応ユーザ制御データ（ＵＣＤ）のパリティが奇数、
という２条件が設定される。
【０１０６】
データ再生を行なう再生装置においては、この付加データ対応レコーディングフレームと付加データ対応ユーザ制御データ（ＵＣＤ）の２つのデータ特性（パリティ）を検出し、検出結果として、上記条件、すなわち、
付加データ対応レコーディングフレームのパリティが偶数、
付加データ対応ユーザ制御データ（ＵＣＤ）のパリティが奇数、
であることが検出された場合、付加データのビット値が［０］であると判定する。なお、再生装置における付加データ検出処理については、後段で詳細に説明する。
【０１０７】
図１０は、
付加データの構成ビットが［０］、
特定レコーディングフレーム（付加データ対応レコーディングフレーム）に対応する変調データ領域のパリティが奇数（図１０（ａ）参照）、
の場合の付加データ対応ＵＣＤの設定処理を示す図である。
【０１０８】
図１０の設定の場合、図１０（ｂ）に示すように、付加データ対応ＵＣＤを偶数パリティとなるビット構成とする。具体的には、付加データ対応ユーザ制御データ（ＵＣＤ）の８ビットに含まれる［１］の数を偶数に設定してパリティを偶数にする。
【０１０９】
この結果、
特定レコーディングフレーム（付加データ対応レコーディングフレーム）のパリティが奇数、
付加データ対応ユーザ制御データ（ＵＣＤ）のパリティが偶数、
という２条件が設定される。
【０１１０】
データ再生を行なう再生装置においては、この付加データ対応レコーディングフレームと付加データ対応ユーザ制御データ（ＵＣＤ）の２つのデータ特性（パリティ）を検出し、検出結果として、上記条件、すなわち、
付加データ対応レコーディングフレームのパリティが奇数、
付加データ対応ユーザ制御データ（ＵＣＤ）のパリティが偶数、
であることが検出された場合、付加データのビット値が［０］であると判定する。
【０１１１】
図１１は、
付加データの構成ビットが［１］、
特定レコーディングフレーム（付加データ対応レコーディングフレーム）に対応する変調データ領域のパリティが偶数（図１１（ａ）参照）、
の場合の付加データ対応ＵＣＤの設定処理を示す図である。
【０１１２】
図１１の設定の場合、図１１（ｂ）に示すように、付加データ対応ＵＣＤを偶数パリティとなるビット構成とする。具体的には、付加データ対応ユーザ制御データ（ＵＣＤ）の８ビットに含まれる［１］の数を偶数に設定してパリティを偶数にする。
【０１１３】
この結果、
特定レコーディングフレーム（付加データ対応レコーディングフレーム）のパリティが偶数、
付加データ対応ユーザ制御データ（ＵＣＤ）のパリティが偶数、
という２条件が設定される。
【０１１４】
データ再生を行なう再生装置においては、この付加データ対応レコーディングフレームと付加データ対応ユーザ制御データ（ＵＣＤ）の２つのデータ特性（パリティ）を検出し、検出結果として、上記条件、すなわち、
付加データ対応レコーディングフレームのパリティが偶数、
付加データ対応ユーザ制御データ（ＵＣＤ）のパリティが偶数、
であることが検出された場合、付加データのビット値が［１］であると判定する。
【０１１５】
図１２は、
付加データの構成ビットが［１］、
特定レコーディングフレーム（付加データ対応レコーディングフレーム）に対応する変調データ領域のパリティが奇数（図１２（ａ）参照）、
の場合の付加データ対応ＵＣＤの設定処理を示す図である。
【０１１６】
図１２の設定の場合、図１２（ｂ）に示すように、付加データ対応ＵＣＤを奇数パリティとなるビット構成とする。具体的には、付加データ対応ユーザ制御データ（ＵＣＤ）の８ビットに含まれる［１］の数を奇数に設定してパリティを奇数にする。
【０１１７】
この結果、
特定レコーディングフレーム（付加データ対応レコーディングフレーム）のパリティが奇数、
付加データ対応ユーザ制御データ（ＵＣＤ）のパリティが奇数、
という２条件が設定される。
【０１１８】
データ再生を行なう再生装置においては、この付加データ対応レコーディングフレームと付加データ対応ユーザ制御データ（ＵＣＤ）の２つのデータ特性（パリティ）を検出し、検出結果として、上記条件、すなわち、
付加データ対応レコーディングフレームのパリティが奇数、
付加データ対応ユーザ制御データ（ＵＣＤ）のパリティが奇数、
であることが検出された場合、付加データのビット値が［１］であると判定する。
【０１１９】
図１３に、本発明における付加データ埋め込みルール、すなわち、
付加データのビット、
付加データ対応レコーディングフレームのパリティ、
付加データ対応ユーザ制御データ（ＵＣＤ）のパリティ
の対応をまとめたテーブルを示す。
【０１２０】
図１３には、図９〜図１２において説明した（１）〜（４）の各パターンを示している。
（１）は、
付加データの構成ビットが［０］であり、かつ、
付加データ対応レコーディングフレームのパリティが偶数である場合であり、
この場合、
付加データ対応ユーザ制御データ（ＵＣＤ）のパリティを奇数として設定する。
（２）は、
付加データの構成ビットが［０］であり、かつ、
付加データ対応レコーディングフレームのパリティが奇数である場合であり、
この場合、
付加データ対応ユーザ制御データ（ＵＣＤ）のパリティを偶数として設定する。
（３）は、
付加データの構成ビットが［１］であり、かつ、
付加データ対応レコーディングフレームのパリティが偶数である場合であり、
この場合、
付加データ対応ユーザ制御データ（ＵＣＤ）のパリティを偶数として設定する。
（４）は、
付加データの構成ビットが［１］であり、かつ、
付加データ対応レコーディングフレームのパリティが奇数である場合であり、
この場合、
付加データ対応ユーザ制御データ（ＵＣＤ）のパリティを奇数として設定する。
【０１２１】
再生装置における再生時には、
付加データ対応レコーディングフレームのパリティと、
付加データ対応ユーザ制御データ（ＵＣＤ）のパリティとの
２つのパリティが検出され、
上記（１）〜（４）のいずれに一致するかを判定して、付加データの構成ビットが［０］であるか［１］であるかを判定する。
【０１２２】
次に、図１４を参照して、本発明の情報記録処理装置において実行する付加データの記録処理シーケンスを説明する。
【０１２３】
ステップＳ１０１において、エラー訂正符号化後の付加データを入力する。これは、図１に示す付加データエラー訂正符号化部１０５からの出力データとして取得されるデータである。なお、付加テータは、暗号鍵情報、暗号鍵生成情報、コンテンツ再生制御情報、コンテンツコピー制御情報、その他のコンテンツ属性情報など、様々な情報によって構成されるデータであり、これらの付加データにエラー訂正符号の付加された付加データのビット列、例えば［０，０，０，１，０，０，０・・・］等のデータ列が入力される。
【０１２４】
ステップＳ１０２では、付加データの構成ビット例えば［０，０，０，１，０，０，０・・・］から順番に１つのビットを記録ビットして取り出す。ステップＳ１０３では、特定レコーディングフレーム、すなわち付加データ対応レコーディングフレームの変調を行い、変調データについてのデータ特性（パリティ）を確認する。
【０１２５】
図１に示す変調データ生成部１０９において付加データ対応レコーディングフレームの変調が実行され、その出力をスイッチ１０８を介してレコーディングフレーム特性判別手段１１０が入力し、レコーディングフレーム特性判別手段１１０において、付加データ対応レコーディングフレームの変調を行い、変調データについてのデータ特性（パリティ）が検出される。
【０１２６】
なお、前述したように、（１，７）ＲＬＬ変調の特性として、パリティプリザーブ（Ｐａｒｉｔｙ  Ｐｒｅｓｅｒｖｅ）、すなわち、偶数パリティデータの変調データは偶数パリティになり、奇数パリティデータの変調データは奇数パリティなるという特徴がある。従って、図１においては、変調データ生成部１０９において付加データ対応レコーディングフレームの変調が実行され、その出力をスイッチ１０８を介してレコーディングフレーム特性判別手段１１０が入力し、変調データについてのデータ特性（パリティ）を検出する構成としてあるが、変調データのパリティと、レコーディングフレームのパリティはいずれも同じであり、どちらを検出対象として設定してもよい。
【０１２７】
ステップＳ１０４では、付加データの抽出ビット、すなわち、付加データにエラー訂正符号の付加された付加データのビット列、例えば［０，０，０，１，０，０，０・・・］を順番に抽出したビットが［０］であるか否かを判定する。
【０１２８】
抽出ビットが［０］である場合、ステップＳ１０５に進む。抽出ビットが［１］である場合、ステップＳ１０６に進む。
【０１２９】
抽出ビットが［０］である場合、ステップＳ１０５において、ステップＳ１０３で確認した特定レコーディングフレームのパリティが偶数であるか否かを判定する。
【０１３０】
特定レコーディングフレームのパリティが偶数である場合、ステップＳ１０７に進み、付加データ対応ＵＣＤ（ユーザ制御情報）のパリティを奇数パリティに設定する。すなわち、付加データ対応ユーザ制御データ（ＵＣＤ）の８ビットに含まれる［１］の数を奇数に設定してパリティを奇数にする。この処理は、図１３の（１）の処理に相当する。
【０１３１】
ステップＳ１０５において、特定レコーディングフレームのパリティが奇数と判定された場合は、ステップＳ１０８に進み、付加データ対応ＵＣＤ（ユーザ制御情報）のパリティを偶数パリティに設定する。すなわち、付加データ対応ユーザ制御データ（ＵＣＤ）の８ビットに含まれる［１］の数を偶数に設定してパリティを偶数にする。この処理は、図１３の（２）の処理に相当する。
【０１３２】
抽出ビットが［１］である場合、ステップＳ１０６において、ステップＳ１０３で確認した特定レコーディングフレームのパリティが偶数であるか否かを判定する。
【０１３３】
特定レコーディングフレームのパリティが偶数である場合、ステップＳ１０８に進み、付加データ対応ＵＣＤ（ユーザ制御情報）のパリティを偶数パリティに設定する。すなわち、付加データ対応ユーザ制御データ（ＵＣＤ）の８ビットに含まれる［１］の数を偶数に設定してパリティを偶数にする。この処理は、図１３の（３）の処理に相当する。
【０１３４】
ステップＳ１０６において、特定レコーディングフレームのパリティが奇数と判定された場合は、ステップＳ１０７に進み、付加データ対応ＵＣＤ（ユーザ制御情報）のパリティを奇数パリティに設定する。すなわち、付加データ対応ユーザ制御データ（ＵＣＤ）の８ビットに含まれる［１］の数を奇数に設定してパリティを奇数にする。この処理は、図１３の（４）の処理に相当する。
【０１３５】
ステップＳ１０９では、付加データに従って制御されたユーザ制御データ（ＵＣＤ）を配置したデータフレームのエラー訂正、変調処理を実行する。図１に示すメインデータエラー訂正符号化部１０６においてエラー訂正が実行され、図１に示す変調データ生成部１０９においてユーザ制御データ（ＵＣＤ）を配置したデータフレームの変調処理が実行される。
【０１３６】
ステップＳ１１０では、付加データの最終ビットの処理が終了したか否かを判定し、未処理データがある場合は、ステップＳ１０２以下の処理を繰り返し実行する。
【０１３７】
ステップＳ１１０において、未処理データなしの判定により、処理が終了、すなわち、上述した処理に従って、付加情報ビットが挿入された記録データが生成されることになる。
【０１３８】
次に、上述の付加情報、および映画、音楽などのコンテンツ（メインデータ）を格納した情報記録媒体の再生処理を行うデータ再生処理装置の構成および再生処理シーケンスについて説明する。
【０１３９】
図１５を参照して、データ再生処理装置の構成、および処理について説明する。データ再生処理装置は、情報記録媒体４０１、情報記録媒体４０１からのデータ読み取りを行うピックアップ４０２、情報記録媒体４０１を駆動するスピンドルモーター４０３、ピックアップ４０２およびスピンドルモーター４０３の制御を行うサーボ回路４０４、読み取り信号のゲイン調整などの信号処理を行いＲＦ信号を生成するＲＦ回路部４０５、ＲＦ信号から同期信号を抽出する同期検出部４０６、データ復調処理を実行するデータ復調処理部４０７を有する。
【０１４０】
さらに、付加データ対応レコーディングフレームの検出を行い、付加データ対応レコーディングフレームの検出に応じてスイッチ４１０を動作させて、付加データ対応レコーディングフレームを付加データデコード部４０８に出力させる付加データ対応レコーディングフレーム制御部４１１、付加データ対応ＵＣＤの検出を行い、付加データ対応ＵＣＤの検出に応じてスイッチ４１３を動作させて、付加データ対応ＵＣＤを付加データデコード部４０８に出力させる付加データ対応ＵＣＤ制御部４１４、付加データのデコード処理を実行する付加データデコード部４０８、メインデータのエラー訂正処理を行うメインデータエラー訂正部４１２、付加データのエラー訂正処理を行う付加データエラー訂正部４０９を有する。
【０１４１】
情報記録媒体４０１に格納されたコンテンツデータは、例えば暗号化コンテンツデータであり、また情報記録媒体４０１に格納された付加データは、暗号化コンテンツの復号処理に適用する鍵データ、あるいは鍵生成情報、またはコンテンツ再生制御情報、コンテンツコピー制御情報、その他コンテンツの属性情報などである。
【０１４２】
情報記録媒体４０１からピックアップ４０２を介して読み取られたデータは、ＲＦ回路部４０５においてゲイン調整などの信号処理がなされ、同期検出部４０６に入力される。同期検出４０６部は、記録信号中の同期信号（シンク）を検出し、検出信号を付加データ対応レコーディングフレーム制御部４１１に出力する。付加データ対応レコーディングフレーム制御部４１１は、同期検出部４０６から、入力される同期信号に基づいて、付加データ対応レコーディングフレームの領域を判別し、判別情報に基づいて、スイッチ４１０を制御し、付加データ対応レコーディングフレームのデコード処理を実行する付加データデコード部４０８に、付加データ対応レコーディングフレームの変調データを入力する。
【０１４３】
さらに、情報記録媒体４０１の読み取りデータは、同期検出部４０６からデータ復調部４０７に出力され、先に図２，図３を参照して説明した逆のデータ変換が順次実行される。付加データ対応ＵＣＤ制御部４１４は、データ復調部４０７から入力される情報に基づいて、付加データ対応ＵＣＤの領域を判別し、判別情報に基づいて、スイッチ４１３を制御し、付加データ対応ＵＣＤのデコード処理を実行する付加データデコード部４０８に、付加データ対応ＵＣＤを入力する。
【０１４４】
付加データデコード部４０８は、入力される２つのデータ、すなわち、
付加データ対応レコーディングフレームの変調データ、
付加データ対応ＵＣＤ（ユーザ制御データ）
これら２つのデータに基づいて、付加データを取得するためのデコード処理を実行する。
【０１４５】
すなわち、
付加データ対応レコーディングフレームの変調データのデータ特性（パリティ）、
付加データ対応ＵＣＤ（ユーザ制御データ）のデータ特性（パリティ）、
これらの２つのデータ特性（パリティ）を検出し、検出情報に基づいて付加データの構成ビットが［０］であるか［１］であるかを判定する。
【０１４６】
すなわち、先に図１３を参照して説明したルールに従って、付加データの構成ビットが［０］であるか［１］であるかを判定する。
具体的には、
付加データ対応レコーディングフレームのパリティが偶数であり、
付加データ対応ユーザ制御データ（ＵＣＤ）のパリティが奇数である場合は、
付加データの構成ビットが［０］であると判定する。
また、
付加データ対応レコーディングフレームのパリティが奇数であり、
付加データ対応ユーザ制御データ（ＵＣＤ）のパリティが偶数である場合は、
付加データの構成ビットが［０］であると判定する。
【０１４７】
また、
付加データ対応レコーディングフレームのパリティが偶数であり、
付加データ対応ユーザ制御データ（ＵＣＤ）のパリティが偶数である場合は、
付加データの構成ビットが［１］であると判定する。
さらに、
付加データ対応レコーディングフレームのパリティが奇数であり、
付加データ対応ユーザ制御データ（ＵＣＤ）のパリティが奇数である場合は、
付加データの構成ビットが［１］であると判定する。
【０１４８】
このように、再生装置においては、記録媒体から読み取られる下記データ、すなわち、
付加データ対応レコーディングフレームと、
付加データ対応ユーザ制御データ（ＵＣＤ）と、
これら２つのデータ特性（パリティ）に基づいて、付加情報ビットが［０］であるか［１］であるかを識別することができる。
【０１４９】
付加データデコード部４０８は、断続的に入力される付加データのデコードに必要なデータ、すなわち、
付加データ対応レコーディングフレームと、
付加データ対応ユーザ制御データ（ＵＣＤ）と、
に基づいて、同様の処理を実行し、例えばｎビット情報の鍵データ、あるいは鍵生成情報、またはコンテンツ再生制御情報、コンテンツコピー制御情報、その他コンテンツの属性情報などの付加データを取得する。なお、この付加データは、データ記録処理装置の説明において述べたように、エラー訂正符号を含んでおり、付加データエラー訂正部４０９においてエラー訂正がなされた後、出力される。
【０１５０】
なお、付加データが例えばコンテンツの復号に適用する鍵情報である場合、付加データの出力先は、コンテンツの復号処理を実行する復号処理部となる。コンテンツの再生制御情報である場合は再生制御部となる。
【０１５１】
一方、付加データ以外の一般のデータは、情報記録媒体の読み取りデータが同期検出部４０６からデータ復調部４０７に出力され、先に図２，図３を参照して説明した逆のデータ変換が順次実行され、再生データが取得される。
【０１５２】
復調データであるメインデータも、付加データと同様、エラー訂正符号を含んでおり、メインデータエラー訂正部４１２においてエラー訂正がなされた後、出力される。
【０１５３】
なお、出力データが例えば暗号化コンテンツである場合、付加データとして出力される鍵生成情報に基づいて生成可能な暗号鍵を適用した復号処理が実行された後、ディスプレイ、スピーカ等の出力手段を介して出力される。
【０１５４】
次に、図１６を参照して付加情報読み取りを含む再生処理シーケンスについて説明する。図１６の処理は、図１５に示す再生処理装置において実行する処理である。
【０１５５】
ステップＳ２０１において、情報記録媒体からの読み取り信号に基づいてＲＦ信号が生成され、ステップＳ２０２において、
復調前の付加データ対応レコーディングフレームと、
復調後の付加データ対応ユーザ制御データ（ＵＣＤ）と、
それぞれに基づく２つのデータ特性（パリティ）が算出される。
【０１５６】
ステップＳ２０３において、付加データ対応レコーディングフレームの変調データのパリティが偶数であるか否かが判定される。偶数である場合、さらに、ステップＳ２０４において、付加データ対応ユーザ制御データ（ＵＣＤ）のパリティが偶数であるか否かが判定される。偶数である場合、ステップＳ２０６において、付加データビット＝１と判定し、奇数である場合、ステップＳ２０７において、付加データビット＝０と判定する。
【０１５７】
ステップＳ２０３において、付加データ対応レコーディングフレームの変調データのパリティが奇数と判定された場合、さらに、ステップＳ２０５において、付加データ対応ユーザ制御データ（ＵＣＤ）のパリティが偶数であるか否かが判定される。偶数である場合、ステップＳ２０７において、付加データビット＝０と判定し、奇数である場合、ステップＳ２０６において、付加データビット＝１と判定する。
【０１５８】
ステップＳ２０８では、付加データの最終ビットか否かを判定し、未処理ビットがある場合は、ステップＳ２０２以下の処理を繰り返し実行し、付加データの最終ビットに至ると処理が終了する。
【０１５９】
なお、上述した実施例においては、パリティ情報を用いた例を中心として説明したが、パリティは、データ領域の状態情報の一例であり、その他の検出可能な様々な状態値の適用が可能である。すなわち、データから得られる状態であれば、パリティ以外の様々な情報を適用することが可能である。
【０１６０】
また、上述した実施例においては、ユーザ制御データ（ＵＣＤ）のパリティを偶数または奇数に設定して付加データの情報を設定する構成として説明したが、ユーザ制御データ（ＵＣＤ）に限らず、その他のデータ領域において、ビット調整可能な領域があれば、そのデータ領域を付加データ対応データとして設定し、書き込み時の制御対象とし、またデータ読み取り時のデコード対象とする構成としてもよい。
【０１６１】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１６２】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１６３】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１６４】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０１６５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１６６】
以上、説明したように、本発明の構成によれば、情報記録媒体に対する付加データの記録、例えばコンテンツの復号処理に適用する鍵情報、鍵生成情報、あるいはコンテンツ再生制御情報、コピー制御情報などの付加情報を記録する際、付加データの構成ビット情報［０］または［１］と、特定の選択された付加データ対応レコーディングフレームのデータ特性とに応じて、データ変更可能なデータ部、例えばユーザ制御データ（ＵＣＤ）の構成ビットを制御して設定する構成とし、再生時に付加データ対応レコーディングフレームのデータ特性と、ユーザ制御データ（ＵＣＤ）の構成データのデータ特性を検出することで、付加構成ビット情報［０］または［１］を取得することができる。本構成により、例えば、コンテンツの復号処理に適用する鍵情報、鍵生成情報、あるいはコンテンツ再生制御情報、コピー制御情報などの付加情報を解析困難な態様で埋め込み、また再生時に確実に読み取る構成が実現される。従って、例えば、著作権の保護の必要なコンテンツを記録媒体に格納し、そのコンテンツの復号処理に適用する鍵情報、鍵生成情報、あるいはコンテンツ再生制御情報、コピー制御情報などの付加情報を解析困難な態様で埋め込む必要のある場合の情報記録処理装置、情報再生処理装置、情報記録媒体において適用可能である。
【０１６７】
また、本発明の構成によれば、付加データの記録処理において、付加データの構成ビット情報［０］または［１］と、特定の選択された付加データ対応レコーディングフレームのパリティが偶数か奇数かに応じて、データ変更可能なデータ部、例えばユーザ制御データ（ＵＣＤ）の構成ビットを制御してユーザ制御データのパリティを偶数または奇数に設定する構成とし、再生時に付加データ対応レコーディングフレームのパリティと、ユーザ制御データ（ＵＣＤ）の構成データのパリティを検出することで、付加構成ビット情報［０］または［１］を取得することができる。本構成により、例えば、コンテンツの復号処理に適用する鍵情報、鍵生成情報、あるいはコンテンツ再生制御情報、コピー制御情報などの付加情報を解析困難な態様で埋め込み、また再生時に確実に読み取る構成が実現される。従って、例えば、著作権の保護の必要なコンテンツを記録媒体に格納し、そのコンテンツの復号処理に適用する鍵情報、鍵生成情報、あるいはコンテンツ再生制御情報、コピー制御情報などの付加情報を解析困難な態様で埋め込む必要のある場合の情報記録処理装置、情報再生処理装置、情報記録媒体において適用可能である。
【図面の簡単な説明】
【０１６８】
【図１】本発明の情報記録処理装置の構成を示す図である。
【図２】本発明の情報記録処理装置における変調データ生成部の処理の詳細を説明する図（その１）である。
【図３】本発明の情報記録処理装置における変調データ生成部の処理の詳細を説明する図（その２）である。
【図４】本発明の情報記録処理装置における変調処理において適用する変換テーブルのデータ構成について説明する図である。
【図５】本発明の情報記録処理装置における記録信号処理回路において実行する処理の詳細を説明する図である。
【図６】ＢＩＳブロックおよびＢＩＳクラスタの詳細構成について説明する図である。
【図７】付加データを設定するユーザ制御データについて説明する図である。
【図８】付加データ対応ユーザ制御データおよび付加データ対応レコーディングフレームについて説明する図である。
【図９】本発明において実行する付加データに基づくデータ設定処理例について説明する図である。
【図１０】本発明において実行する付加データに基づくデータ設定処理例について説明する図である。
【図１１】本発明において実行する付加データに基づくデータ設定処理例について説明する図である。
【図１２】本発明において実行する付加データに基づくデータ設定処理例について説明する図である。
【図１３】本発明において実行する付加データに基づくデータ設定処理ルールについて説明する図である。
【図１４】本発明の情報記録処理装置において実行する付加データ記録処理シーケンスを説明するフロー図である。
【図１５】本発明の情報再生処理装置の構成を示す図である。
【図１６】本発明の情報再生処理装置において実行する付加データ読み取りおよびデータ再生処理シーケンスを説明するフロー図である。
【符号の説明】
【０１６９】
１０１  情報記録媒体
１０２  ピックアップ
１０３  スピンドルモーター
１０４  サーボ回路
１０５  付加データエラー訂正符号化部
１０６  メインデータエラー訂正符号化部
１０７  付加データ対応レコーディングフレーム制御部
１０８  スイッチ
１０９  変調データ生成部
１１０  レコーディングフレーム特性判別手段
１１１  記録信号処理回路
１２１  ＮＲＺ変換手段
１２２  ＸＯＲ
１２３  遅延手段
２０１  ユーザデータ
２０２  データブロック
２０３  ＬＤＣブロック
２０４  ＬＤＣクラスタ
２１１  ユーザ制御情報（ＵＣＤ）
２１２  アクセスブロック
２１３  ＢＩＳブロック
２１４  ＢＩＳクラスタ
２２１  物理アドレス
２３１  ＥＣＣクラスタ
２３２  クラスタ
２３３  物理クラスタ
２３４  レコーディングフレーム
２３５  変調レコーディングフレーム
３０１  付加データ対応ＵＣＤ格納フレーム
３０２  ＵＣＤ（ユーザ制御データ）
３１１  付加データ対応フレーム
４０１  情報記録媒体
４０２  ピックアップ
４０３  スピンドルモーター
４０４  サーボ回路
４０５  ＲＦ回路部
４０６  同期検出部
４０７  データ復調処理部
４０８  付加データデコード部
４０９  付加データエラー訂正部
４１０，４１３  スイッチ
４１１  付加データ対応レコーディングフレーム制御部
４１２  メインデータエラー訂正部
４１４  付加データ対応ＵＣＤ制御部
【図１】
2005085425.tif 000003
【図２】
2005085425.tif 000004
【図３】
2005085425.tif 000005
【図４】
2005085425.tif 000006
【図５】
2005085425.tif 000007
【図６】
2005085425.tif 000008
【図７】
2005085425.tif 000009
【図８】
2005085425.tif 000010
【図９】
2005085425.tif 000011
【図１０】
2005085425.tif 000012
【図１１】
2005085425.tif 000013
【図１２】
2005085425.tif 000014
【図１３】
2005085425.tif 000015
【図１４】
2005085425.tif 000016
【図１５】
2005085425.tif 000017
【図１６】
2005085425.tif 000018